(57)【要約】【課題】  従来の電気掃除機用の集塵袋として、集塵袋から塵埃をこぼさないために集塵袋の開口部を塞いで廃棄するには、シールを剥離紙から剥がして、さらにシールを口板に貼るといった２つの動作を使用者が行う必要があり、手間がかかった。【解決手段】  開口部を有する口板と、前記口板に取り付けられた袋部材を備えた電気掃除機用の集塵袋において、前記口板の前記袋部材側の面であってかつ前記集塵袋と電気掃除機本体の集塵部を覆う蓋体との間に開口部を塞ぐためのシール部材を有し、前記シール部材は前記口板の前記袋部材が取り付けられていない部分に取り付けられ、前記シール部材の一部を切り欠いて、シールを剥離紙から剥がす動作と、口板に貼る動作を同時に行う。【選択図】図１
2008295605.tif 000002
【特許請求の範囲】
【請求項１】
開口部を有する四辺形の口板と、該口板に取り付けられた袋部材と、前記口板の開口部を閉塞するシール部材とを備えた電気掃除機の集塵袋において、
前記シール部材は少なくとも前記口板の何れか一片の外側に設けられ、
該シール部材の口板側に位置する部分にはつまみ部を設けたことを特徴とする電気掃除機の集塵袋。
【請求項２】
請求項１において、
前記袋部材は前記口板の開口部周りに接着され、
前記シール部材は前記口板と前記袋部材とが接着されていない部分の前記口板に取り付けられていることを特徴とする電気掃除機の集塵袋。
【請求項３】
請求項１又は２において、
前記シール部材は、粘着面を有するシール部と、該シール部の粘着面を被う剥離部とを有し、
前記つまみ部は前記剥離部に設けたことを特徴とする電気掃除機の集塵袋。
【請求項４】
請求項１乃至３の何れかにおいて、
前記つまみ部は前記シール部材の一部を切り欠いて形成したことを特徴とする電気掃除機の集塵袋。
【請求項５】
電動送風機及び集塵部を有する掃除機本体と、該集塵部に着脱自在に装着される集塵袋とを備えた電気掃除機において、
前記集塵袋は、開口部を有する四辺形の口板と、該口板に取り付けられた袋部材と、前記口板の開口部を閉塞するシール部材とを備え、
前記シール部材は少なくとも前記口板の何れか一片の外側に設けられ、
該シール部材には、前記掃除機本体の係合部と係合する係合孔が形成されていることを特徴とする電気掃除機。
【請求項６】
請求項５において、
前記シール部材は、粘着面を有するシール部と、該シール部の粘着面を被う剥離部とを有し、
前記係合孔は前記剥離部に設けたことを特徴とする電気掃除機。
【請求項７】
請求項５又は６において、
前記係合部は前記集塵部に前記集塵袋を取り付けるためのクランプ部に設けたことを特徴とする電気掃除機。
【発明の詳細な説明】
【技術分野】
【０００１】
本発明は電気掃除機の集塵袋及びこれを装着した電気掃除機に関するものである。
【背景技術】
【０００２】
集塵袋を備えた電気掃除機は、捕集した塵埃によって集塵袋内が満杯になったとき、集塵袋を取り外して使い捨て（新しい集塵袋と交換）することができるので、取り扱いが便利である。そして、集塵袋を交換すると吸引力が回復する。
【０００３】
しかし、集塵袋に多量の塵埃を集塵している場合、集塵袋を交換する際に集塵袋の開口部から塵埃が飛散してしまうことがあり、衛生上好ましくない。
【０００４】
集塵袋を交換する際、開口部を塞ぐ構造として、例えば特許文献１（特開平７−１０００８６号公報）がある。特許文献１では、集塵袋の口板の一部につまみ部を設け、このつまみ部を引っ張ることにより、口板前面に設けた遮蔽板の摺動片が摺動し口板の開口部を閉じるように構成している。
【０００５】
また、開口部を塞ぐ別の構造として、例えば特許文献２（特開平９−３１３４１２号公報）がある。特許文献２に示される集塵袋は、集塵袋の開口部を閉じるための粘着シール又は粘着テープを、開口部横の口板、または集塵袋の袋部材に配備したり、さらには開口部が設けられている口板そのものを粘着面として、これを覆うように紙又はフィルムを配備しているものである。そして、電気掃除機本体から集塵袋を取り出した後に、口板の開口を塞ぐようにしている。
【０００６】
【特許文献１】特開平７−１０００８６号公報
【特許文献２】特開平９−３１３４１２号公報
【発明の開示】
【発明が解決しようとする課題】
【０００７】
集塵袋を電機掃除機に装着して掃除を行うとき、電気掃除機の吸引力が低下した場合、集塵袋一杯に塵埃を集塵した場合、集塵袋を交換する必要がある。このとき、塵埃に触れることなく衛生的に扱えることが望ましい。
【０００８】
特許文献１に示される発明では、集塵袋の口板前面に遮蔽板を摺動自在に配置するように設けることが提案されているが、この場合、この遮蔽板が支持板に設けた開口面に対して略平行に移動するので、開口部付近に溜まった塵埃が邪魔をして、遮蔽板が移動できずに、蓋をすることができないといった問題があった。
【０００９】
また、遮蔽板を摺動自在とする構造のため、構造が複雑になるといった欠点があった。加えて、この状態で無理に力を入れて遮蔽板を閉じようとすると、開口部付近に溜まった塵埃がこぼれるといった問題があり、衛生的な作業はとは言えず好ましいことではない。
【００１０】
また、電気掃除機を運転している間は集塵袋を通過する空気流により、綿ゴミなどの軽くてフワフワした繊維塵は圧縮された固まりとなり易い。しかしながら、電気掃除機の運転を停止すると空気流による圧縮力が無くなり、圧縮された塵埃の固まりが広がり、塵埃の固まりの体積が大きくなる。このため、集塵袋内に大量の塵埃を吸い込んだ場合には、口板に設けた開口部付近まで塵埃が溜まる場合もある。
【００１１】
これを解決するために特許文献２が提案されている。特許文献２に記載の発明では、開口部の横に蓋となる粘着シールを設けることが提案されているが、掃除機本体から完全に取り出した後に、初めて、開口部を塞ぐことが可能となり、しかも開口部を塞ぐ際、粘着シールが張られている台紙から粘着シールを剥がし難いといった欠点があった。また、集塵袋に備え付けてある粘着シールを剥離紙から剥がし、次に粘着シールを口板に貼るという２つの動作を行う必要があり、また粘着シールを剥離紙から剥がす際に集塵袋に振動を与えることになり、これによって塵埃が飛散する可能性があった。
【００１２】
更に、集塵袋の袋部材に粘着シールや粘着テープの非通気性の部材を設けているので、掃除機本体にこの集塵袋を取り付けたとき、集塵袋を通過する空気流の通気損失が増加し、吸引力の低下を招く可能性があった。
【００１３】
本発明の目的は、上記問題を解決するためになされたものであり、集塵袋の口板開口部を塞ぎやすく、集塵袋内の塵埃の飛散を防止して、衛生的に扱う事ができる電気掃除機の集塵袋及びこれを装着した電気掃除機を提供することにある。
【課題を解決するための手段】
【００１４】
上記目的を達成するために本発明の特徴とするところは、開口部を有する四辺形の口板と、該口板に取り付けられた袋部材と、前記口板の開口部を閉塞するシール部材とを備えた電気掃除機の集塵袋において、
前記シール部材は少なくとも前記口板の何れか一片の外側に設けられ、該シール部材の口板側に位置する部分にはつまみ部を設けた電気掃除機の集塵袋にある。
【００１５】
また、本発明の特徴とするところは、電動送風機及び集塵部を有する掃除機本体と、該集塵部に着脱自在に装着される集塵袋とを備えた電気掃除機において、
前記集塵袋は、開口部を有する四辺形の口板と、該口板に取り付けられた袋部材と、前記口板の開口部を閉塞するシール部材とを備え、
前記シール部材は少なくとも前記口板の何れか一片の外側に設けられ、該シール部材には、前記掃除機本体の係合部と係合する係合孔が形成されている電気掃除機にある。
【発明の効果】
【００１６】
本発明によれば、集塵袋の口板開口部を塞ぎやすく、集塵袋内の塵埃の飛散を防止して、衛生的に扱う事ができる電気掃除機の集塵袋及びこれを装着した電気掃除機を提供することができる。
【発明を実施するための最良の形態】
【００１７】
以下本発明の一実施例について、図面を参照し説明する。
【００１８】
図２２は、本発明の一実施例に係る掃除機本体の下本体ケース３から上本体ケース４と蓋８を分離した状態の斜視図である。図２３は、本発明の一実施例に係る電気掃除機を示す外観斜視図である。図２４は、本発明の一実施例に係る掃除機本体の中央縦断面図である。
【００１９】
電気掃除機１は、掃除機本体２のホース接続口部１０にホース１２の一端である接続継手１２ａが接続され、ホース１２の他端に手元操作管１３の一端が接続されている。手元操作管１３には電動送風機の吸込力の強弱等、電気掃除機１の運転モードの切り替えるスイッチ１６が設けられている。手元操作管１３の他端には伸縮継手管１４の一端が接続され、伸縮継手管１４の他端に吸口１５が接続されている。
【００２０】
掃除機本体２は、吸引力を発生する電動送風機９と、この電動送風機に電力を供給するための電源コード１９とを内蔵する。電動送風機９の前側には集塵部５が形成されており、この集塵部５はホース接続口部１０と連通する。集塵部５には集塵袋２０が装着されている。電動送風機９を駆動した際の吸気力により、吸口１５から含塵空気を吸い込み、吸い込んだ含塵空気を伸縮継手管１４と手元操作管１３とホース１２を介して掃除機本体２に吸い込ませ、集塵袋２０で塵埃を捕集（集塵）する。集塵袋２０を通過した空気流は、電動送風機９に吸引されて昇圧される。集塵袋２０で捕集されなかった微細な塵は、排気フィルター３２でろ過捕集され、空気を機外に排気される。
【００２１】
掃除機本体２は、図２２と図２４に示すように、上本体ケース４と下本体ケース３と蓋８の間に配置した集塵部５内に集塵袋２０を着脱可能に装着している。なお、蓋８は、上本体ケース４の上側に回動可能に取り付けている。集塵袋２０の出し入れは蓋８を開いて行い、上蓋８を閉じて電気掃除機１の運転を行う。
【００２２】
また、集塵部５内には集塵袋２０と電動送風機９の間に保護フィルター１８を設けるとともに、除塵ユニット７を配置している。この除塵ユニット７が動いて袋部材２１を振動させることで、集塵袋２０内に捕集されて堆積した塵埃は袋部材２１から除塵される。
【００２３】
また、下本体ケース３は、この掃除機本体２を床面に走行させるための走行車輪１１と案内車輪４０を備えている。さらに、上本体ケース４の上部にはハンドル６が出没自在に取り付けられており、掃除機本体２を持ち運ぶ事ができる。
【００２４】
ホース接続口部１０に差し込んだホース１２の接続継手１２ａと、逆止弁３１と一体になった弾性体シール部材が気密状態に当接しており、この逆止弁３１が開くと流入口３０から集塵袋２０に設けた開口部２６を通じて、含塵空気流が集塵袋２０内に流入する。ここで、逆止弁３１と一体になった弾性体シール部材は、集塵袋２０に設けた口板２２に密着して、塵埃がこぼれないようにする機能も有している。
【００２５】
次に、掃除機本体２内部の配置について説明する。ホース接続口部１０は上方から見て掃除機本体２の幅方向の中央にあり、かつ、前記掃除機本体２の前面に配置している。集塵袋２０の流入部である開口部２６も同様に集塵部５の幅方向の中央にあり、かつ、前記集塵部５の前面に配置している。このように配置することで、集塵部５の入口部分に曲りなどを設ける必要が無いため、通気損失を小さくすることができる。
【００２６】
次に、図１と図２を用いて、電気掃除機用の集塵袋の概要を説明する。図１は、本発明の実施例を示す電気掃除機用の集塵袋の斜視図である。図２は、本発明の実施例を示す電気掃除機用の集塵袋を開口部の見える方向からの正面図である。
【００２７】
集塵袋２０は、開口部２６を有した厚紙やプラスチック等で構成された四辺形の口板２２と、紙，布，獣毛やプラスチック材等の不織布等で構成された通気性のある袋部材２１と、口板２２に取り付けられたシール部材２３を備える。袋部材２１は口板２２の裏面側に接着されている。本実施例では、シール部材２３は四辺形の口板２２のうち何れか一片に取り付けられている。また、本実施例では、シール部材２３は口板２２に取り付けられているが、袋部材２１の一部に接着して取り付けるようにしても良い。
【００２８】
袋部材２１と口板２２の接着部分は、口板２２の全体に亘っておらず、口板２２の外周部分は袋部材２１と接着していない。袋部材２１は口板２２の開口部周りに接着されている。口板２２は電気掃除機１の集塵部５の装着する際、クランプ２８に設けたフック２９と係合するが、口板２２の外周端部まで袋部材２１が接着していると、口板２２とフック２９が係合することができず、また、フック２９で袋部材２１を傷付ける虞がある。このため、本実施例では口板２２の外周部分は袋部材２１と接着していない。口板２２と袋部材２１とが接着しない部分は、少なくとも口板２２の一片、すなわちフック２９と係合する側の片は必要であるが、その他の片は口板２２の端部まで接着されていても良い。
【００２９】
シール部材２３は、口板２２と袋部材２１とが接着されていない部分の口板２２の裏面側に取り付けられている。本実施例では口板２２の裏面上側としている。口板２２の裏面上側にシール部材２３を接着する場合には、口板２２の端部付近は接着しない方が好ましい。この理由は、口板２２の上側は、クランプ２８に設けたフック２９と係合するので、シール部材２３を傷付けないためにも、このフック２９と係合する部分は、口板２２とシール部材２３とは接着させない方が好ましい。
【００３０】
シール部材２３は口板２２の端部よりも図２でいう右側に長くなっている。これにより、シール部材２３が口板２２の上面をまたぎ、開口部２６を塞ぐことができる。ゆえに、集塵袋２０から塵埃が飛散せず、衛生的に扱うことができる。
【００３１】
次に、図３から図９を参照して集塵袋２０に設けたシール部材２３について説明する。図３は、図２のＡ−Ａ断面図である。図４は、図２のＢ−Ｂ断面図である。図５は、図３のＣ部拡大図である。図６は、図４のＤ部拡大図である。図７は、シール部材の平面図である。図８，図９はそれぞれ図７のシール部２４と剥離紙２５の形状を示している。
【００３２】
シール部材２３は、粘着面である糊４１を有するシール部２４と、粘着面を被う剥離紙２５（剥離部）を備える。シール部２４と剥離紙２５とは糊４１を境として、口板２２の前面側に剥離紙２５が、口板２２の裏面側にシール部２４が位置するように配置されている。シール部材２３は、図７のような形となっており、取り付け部４４のシール部材２３には剥離紙２５を設けず、この取り付け部４４を口板２２に接着してある。また、図７で示すように、シール部材２３は、切り欠き５３を有する。切り欠き５３の間に形成される突出部５１は、シール部２４に切れ込み４３を有している。このため、突出部５１と剥離紙２５とは常に接続されている。突出部５１は口板２２側に向かって突出している。切り欠き５３の外側に形成される突出部５４は、剥離紙２５に切れ込み４２を有する。ここで、集塵袋２０の口板２２にシール部材２３を取り付けた状態では、切れ込み４２、及び取り付け部４４付近の隙間部分を除いては、シール部２４の糊４１は露出していないことから、袋部材２１等、周囲に付着することを防げるので、取り扱い上好ましい。また、必ずしも図７のように、切れ込み４２と切れ込み４３が一直線上である必要はないが、突出部５１をつまんで剥離紙２５を剥がす際に、切れ込み４３から剥がれることから、切れ込み４３よりも剥離紙２５を剥がす方向（図７の右側）に切れ込み４２があると、剥離紙２５を円滑に剥がせるため、剥離紙２５が破れたりせず、取り扱いが容易になる。突出部５１は剥離紙２５を剥がすためのつまみ部として機能している。
【００３３】
次に、集塵袋２０の開口部２６をシール部材２３で塞ぐ動作について説明する。
【００３４】
図１０は、集塵袋２０内に塵埃が一杯にたまった後、開口部２６をシール部材２３で塞いだときの実施例の斜視図である。
【００３５】
集塵袋２０の開口部２６をシール部材２３で塞ぐときは、図１で、突出部５１を下側に、かつ、口板２２の開口部２６を有する面に向かって引っ張るだけである。すなわち、四辺形の口板２２のうち何れか一片にシール部材２３が取り付けられており、このシール部材２３の口板２２側に位置する部分に、口板２２側に向かって突出している突出部５１（つまみ部）があり、この突出部５１を口板２２側に向かって引っ張る。
【００３６】
このとき、突出部５１の根本部分に力が加わりやすく、剥離紙２５が破れる恐れがあるため、図７のように突出部５１の根本部分を広くしておくと、剥離紙２５が意図しない箇所で破れにくく、取り扱いが容易になる。
【００３７】
突出部５１を引っ張ることにより、シール部２４が切れ込み４３より図７の左右方向に離れ、剥離紙２５が突出部５１の根本よりシール部２４と離れる。また、剥離紙２５が、図７の切れ込み４２より右側の剥離紙２５と離れる。次に、口板２２の上面をシール部材２３がまたぎ、シール部２４から剥離紙２５が剥がれる。この後、口板２２の端部を境にシール部が折れ曲がって、シール部２４の糊４１の面と口板２２とが対向し、シール部２４が口板２２に接着され、開口部２６を塞ぐことができる。この動作により、集塵袋２０内の塵埃の飛散を防ぎ、集塵袋２０を衛生的に扱うことができる。また、シール部材２３で開口部２６を塞ぐことができることから、開口部２６付近に塵埃が溜まった場合でも、開口部２６を塞ぐことができ、より衛生的に扱うことができる。
【００３８】
また、従来は、剥離紙からシールを剥がし、そのシールで集塵袋の開口を塞ぐという、２つの動作が必要であったが、本発明では、シール部材２３を剥離紙２５から剥がす動作と、シール部材２３で開口部２６を塞ぐ動作を同時に行えることから、より容易に開口部２６を塞ぐことができる。
【００３９】
このとき、突出部５１があることにより、剥離紙２５からシール部２４を剥がしやすい。これにより、剥がす際に、集塵袋２０に余計な振動を与えることなく、剥離紙２５をシール部２４から剥がしながら開口部２６を塞ぐことができるため、集塵袋２０内の塵埃の飛散をより防ぐことができ、衛生上好ましい。
【００４０】
さらに、接着されたシール部２４を口板２２に手などで押さえつけると、密着性が向上し、集塵袋２０内の塵埃の飛散をより防ぐことができる。
【００４１】
さらにまた、図１１の破線５６のように、口板２２に貼り付け部６０を図象等で目印を付けておくと、誤って開口部２６を塞ぎきれないといったことも無く、より容易に取り扱うことができる。
【００４２】
口板２２の開口部２６を塞ぐ際に、シール部材２３が引っ張られる方向は、図２の右側方向、口板２２の上部をまたいだ図２の手前方向、そして口板２２の上部をまたいだ図２の左側方向である。つまり、剥離紙２５を図２の手前方向に設け、口板２２の袋部材２１側に貼り付けることで、シール部材２３は取り付け部４４を剥がす方向である口板２２の下流側方向（図２の奥行方向）には引っ張られないので、開口部２６を容易に塞ぐことができ、かつ、取り付け部４４を口板２２に縫い付けたりする必要がなく、コストを抑えて作成することができる。
【００４３】
また図１２のように、シール部２４と剥離紙２５を図１２の右側端部付近でステープラーのとじ針５２によって固定すると、シール部２４と剥離紙２５は完全に離れずに一体で扱えるため、集塵袋２０を廃棄する際に、取り扱いが容易である。
【００４４】
また、突出部５１を引っ張るのではなく、突出部５１を固定し、口板２２を上側に持ち上げることによっても、同じようにシール部材２３で開口部２６を塞ぐことができる。
【００４５】
なお、本実施例では、突出部５１はシール部２４と剥離紙２５の両方を残した状態であるが、この部分のシール部２４は口板２２の開口部２６を塞ぐためには用いない。このため、突出部５１は剥離紙２５のみとし、シール部２４と糊４１を取り除いてもよい。
【００４６】
図１３は、突出部５１に取り付け部４４を設け、突出部５４を引っ張って口板２２の開口部２６を閉じるものである。このとき、突出部５４の根元には、シール部２４はなく、剥離紙２５のみを有する。また、突出部５１の根元には剥離紙２５に切り込みを有する。この場合、図１３の上下どちらの突出部５４も引っ張ることができるため、どちらかの突出部５４が破れた場合でも、もう片方の突出部５４を使用すれば開口部２６を閉じることが可能である。
【００４７】
図１４は、図１３の上下の突出部５４をつなげたもので、口板２２の開口部２６を閉じる際に、シール部材２３を引っ張る箇所の面積が増えるため、より容易に使用することができる。
【００４８】
また、万が一、突出部５１が使用できないとき、図１５のように反対側にも突出部５５を設けておくこともできる。突出部５５の根元部分は、突出部５１と同じくシール部２４がなく、剥離紙２５のみで構成される。ただし、突出部５５を使用する場合、一度剥離紙をはがしてから開口部２６をシール部２４で塞ぐため、従来のものと変化無く、突出部５５はあくまで補助的なものである。
【００４９】
図１６は、実際に図７のシール部材２３を製作する実施例の１つである。本実施例では、まずシール部２４に糊４１を一面につけておく。次に、シール部２４と剥離紙２５をそれぞれ図８，図９のような形に裁断する。次に、図１６の右から左にローラー５９にてシール部２４と剥離紙２５を巻き込み、接着させる。このとき、剥離紙２５をシール部２４より若干大きめに裁断しておくと、シール部２４と剥離紙２５がずれた場合でも、糊４１を剥離紙２５にて覆うことができる。これにより、周辺部へ貼り付くことを防ぎ、取り扱いが容易になる。最後に、切り込みをいれ、切れ込み４２と切れ込み４３を作成する。
【００５０】
また、シール部材２３を図１７のような形状とすると、製作性が向上する。図１８，図１９は、それぞれ図１７のシール部２４と剥離紙２５を示している。図１８の斜線部は、糊４１をシール部に付ける範囲を示している。シール部２４には切り欠き５３を設けず、取り付け部４４と閉塞部５７の間に糊４１がついていない非粘着部５８を設ける。シール部材２３を取り付ける際には、突出部５１を取り付け部４４から剥がし、口板２２に取り付け部４４を接着する。
【００５１】
図１７のような形状を製作する際には、糊４１を取り付け部４４と閉塞部５７につけ、シール部２４と剥離紙２５と接着させる。このあと、裁断と切り込みを同時に行えばよい。裁断してから接着させる必要がないため、接着時のシール部２４と剥離紙２５のずれを気にする必要がなく、製作が容易になる。また、この方法であれば複数個のシール部材２３を一度に製作できるため、コストを低減することができる。
【００５２】
図２０に示すシール部材２３の形状では、製作時の不良を低減することができる。まず、シール部２４の一面に糊４１をつけ、その面に剥離紙２５を接着させる。指定の形状に裁断した後、取り付け部４４側の剥離紙２５を剥がし、シール部２４を図２０のように折り込む。そして、取り付け部４４を口板２２に接着する。こうすることにより、製作時に切り込みを入れる部分を誤って裁断することもなく、製作時の不良を低減することができる。
【００５３】
ここで、図２１は集塵袋２０の梱包時の状態を示すものである。袋部材２１が折りたたまれ、その上にシール部材２３が折りたたまれている。この状態で、箱や袋などに詰め込まれる。使用時は、袋部材２１、及びシール部材２３を無理に広げず、そのまま使用できる。
【００５４】
次に図１，図１０および、図２４から図２８を参照して集塵部５について説明する。図２５は、図２４のＡ部拡大図である。図２６は、本発明の実施例を示す蓋を開いて集塵袋をホルダーに装着した際の、掃除機本体の部分中央縦断面図である。図２７は、本発明の実施例を示す蓋を開いて集塵袋を廃棄する際の、掃除機本体の部分中央縦断面図である。図２８は、本発明の実施例を示す掃除機本体の中央縦断面図である。
【００５５】
集塵部５は図２２と図２４と図２５に示すように、下本体ケース３と上本体ケース４と蓋８で囲まれた空間で構成される。集塵部内にはホルダー３６があり、そのホルダー３６に口板２２が着脱可能に装着されている。
【００５６】
口板２２がクランプ２８に設けた係止部３８により保持され、蓋８を閉じた状態では、クランプ２８に設けた補強部３３が蓋８に設けたリブ３４により係止されている。
【００５７】
このため、集塵袋２０に塵埃が溜まった状態で電動送風機９を駆動した際でも、集塵袋２０が電動送風機９側へ引っ張られて、口板２２が逆止弁３１と一体になった弾性体シール部材から離れることを防ぐことができ、塵埃がこぼれるのを防いでいる。
【００５８】
これは、口板２２へのシール部２４の取り付け部４４がクランプ２８の係止部３８を避けるようにあるため、係止部３８による口板２２の保持が可能となり、塵埃のこぼれを防いでいる。
【００５９】
なお、逆止弁３１は、集塵袋２０に設けた開口部２６から集塵袋２０に溜った塵埃がホース１２に設けた接続部１２ａ側への逆流を防ぐように機能する。
【００６０】
また、集塵袋２０は、集塵袋２０内に塵埃を溜めた後に、この集塵袋２０を廃棄する際に口板２２に設けた開口部２６を塞ぐシール部材２３を備えている。なお、この剥離紙２５の突出部５１には係合部１７に引っ掛けて係合させるための係合穴２７を開けている。
【００６１】
この集塵袋２０を掃除機本体２内の集塵部５に装着するには、図２６に示すように、回動軸３７を回転軸として電動送風機９側に傾斜したホルダー３６に集塵袋２０の口板２２を取り付け、この口板２２とホルダー３６を起こしてクランプ２８に設けた係止部３８を口板２２に引っ掛けて取り付ければよい。なお、クランプ２８は回動軸３５を回転軸に回動可能にしておくと、集塵袋２０の装着を容易にすることができる。また、シール部材２３は口板２２に取り付ける際、中央付近以外の両端を接着し、シール部材２３の突出部５１に設けた係合穴２７をクランプ２８に設けた係合部１７に係合させることから、クランプ２８に設けた係止部３８を口板２２に引っ掛ける際に、シール部材２３が邪魔にならず、容易に取り付けることができる。
【００６２】
次に、剥離紙２５に設けた係合穴２７を係合部１７に引っ掛けておく。ここで、集塵袋２０を集塵部５に装着した際に、集塵部５を蓋８と集塵袋２０の袋部材２１との間に、シール部材２３を配置している。このため、剥離紙２５に設けた係合穴２７と係合部１７を目視でき、係合穴２７の取り付けを容易に行うことができる。なお、この係合部１７は図に示すようにクランプ２８の上部や、集塵部５内のうち、口板２２よりも上側に配置しておくと、係合穴２７を係合部１７に取り付けやすいのでより好ましい。
【００６３】
また、係合部１７と係合穴２７は口板２２の幅方向に広くあるのではなく、ここでは、口板２２の幅方向の中央付近に設けている。これらに対し、クランプ２８に設けたフック２９や、補強部３３，蓋８に設けたリブ３９は、口板２２の幅方向の中央付近には設けずに、口板２２の幅方向の両端付近に設けている。このため、係合穴２７を係合部１７に取り付けて、蓋８を閉じる時に、剥離紙２５をリブ３９とクランプ２８で挟み込んだりして、剥離紙２５が切れたりすることを防げる。
【００６４】
また、シール部材２３を口板２２の下流側である電動送風機９側の面に貼り付けているので、集塵袋２０を装着した際に、ホルダー３６と口板２２に挟まれて、シール部材２３が切れたりすることも防げる。
【００６５】
次に、塵埃を吸引して集塵袋２０を廃棄する際について説明する。蓋８を開け、補強部３３、またはフック２９、または係合部１７の前側（図２７の左側）へ倒すと係止部３８が口板２２から外れて、回動軸３７を回転軸としてホルダー３６と口板２２が電動送風機９側へ倒れる。口板２２が、係合部１７から遠ざかるので、口板２２側の剥離紙２５がシール部２４から剥がれ始める。そして、口板２２をホルダー３６から引き抜くに従い、剥離紙２５がシール部２４から剥がれていく。このとき、シール部材２３の一端である剥離紙２５の係合穴２７が係合部１７で引っ張られているので、口板２２を引き抜いていくとシール部２４の接着面が口板２２の開口部２６を塞ぐように集塵袋２０を取り出すことができる。なお、係合部１７は前側（図２５の左側）へ凸状の鉤型としておけば、集塵袋２０を取り出す際には、係合穴２７が係合部１７から外れにくくなるのでより好ましい。
【００６６】
ここで、集塵袋２０を集塵部５から取り出すと、図１０に示すように、シール部２４が開口部２６を塞いで取り出すことが可能となる。つまり、集塵袋２０を集塵部５から取り出す動作を行えば、口板２２の開口部２６を塞ぐことができるので、塵埃に触れることなく簡単に集塵袋２０を取り出せるとともに、集塵袋２０から塵埃がこぼれずに捨てることができるので、衛生的である。
【００６７】
これは、集塵袋２０の取り出し方向と、口板２２の開口部２６から見たときのシール部材２３の方向が同一であるため、可能となっていて、集塵袋の取り出し方向が左右、又は、下側の場合は、その方向と同一方向にシール部材を設ければよい。
【００６８】
なお、口板２２の開口部２６をシール部２４が塞いだ後、集塵袋２０を集塵部５から引っ張って取り出す際に、係合穴２７が係合部１７に引っ掛かって破れても集塵袋２０を廃棄するのでかまわない。
【００６９】
集塵袋２０で捕集された綿ゴミなどの軽くてフワフワした繊維塵は、集塵袋２０を通過する空気流により、圧縮された固まりとなり易い。これらの圧縮された塵埃の固まりは、電気掃除機１の運転を停止すると空気流による圧縮力が無くなり、圧縮された塵埃の固まりが拡がり、塵埃の固まりの体積が大きくなり、口板２２の開口部２６からあふれる場合もある。ここで、本発明によるシール部２４は、口板２２の面に対して平行に移動するのではない。つまりシャッターのような動作でシールするのではなく、口板２２の上部前方から開口部２６を閉じる。このため、開口部２６付近に塵埃が溜まっている状態でも、開口部２６をシールすることが可能であり、衛生的に塵埃を廃棄することが可能である。
【００７０】
なお、以上の集塵袋２０を集塵部５から取り出す動作は、前側（図２７に示す左側）を上に、後側（図２７に示す右側）を下にした掃除機本体２を立てた状態で行うと、開口部２６付近に塵埃が溜まっている状態でも塵埃がこぼれにくくすることができる。
【００７１】
また、図２４や図２５に示すように本実施の形態では、集塵袋２０に設けたシール部材２３は空気が通過する流路である袋部材２１には取り付けておらず、口板２２の背面側である電動送風機９側に取り付けているので、袋部材２１のろ過面積を減少させない。つまり、空気流による圧力損失の増加を防げ、吸込仕事率を低下させずに、集塵袋２０を衛生的に廃棄することが可能である。
【００７２】
また、図２や図７に示すように、シール部材２３の口板２２への取り付け部４４と反対側の端部の形状を円弧形状にすることで、シール部材２３を必要最小限の面積とすることができる。これもまた、集塵袋の外側の、空気流を妨げる遮蔽物の極小化によって圧力損失の増加を防ぐことができ、吸込仕事率の低下を避けることにつながる。
【００７３】
なお、本実施例では、塵埃を吸引して集塵袋２０の目詰まりによる吸引力の低下を抑制するために、除塵ユニット７を搭載して集塵袋２０の袋部材２１に付着した塵埃を剥離させて、集塵袋２０の目詰まりを抑制している。この払い落とされた塵埃が集塵袋２０を廃棄する際にこぼれないように、集塵袋２０の開口部２６を塞いで廃棄するので、衛生面でも好都合である。つまり、吸引力の持続と吸引した塵埃の衛生的な廃棄を両立して行うことができる。
【００７４】
ここで、間違って塵埃以外のものを吸引した際等で、集塵袋２０の開口部２６をシールしたくないときには、シール部材２３に設けた係合穴２７を係合部１７から取り外してから集塵袋２０を集塵部５から取り外して行えばよい。このようにして、集塵袋２０内に誤って、ゴミ以外のものを吸い込んでも取り出すことも可能である。この後に、再び集塵部５に集塵袋２０を取り付け、係合穴２７を係合部１７に係合させれば、集塵袋２０を廃棄する際に開口部２６のシールを行うことが可能である。
【図面の簡単な説明】
【００７５】
【図１】本発明の一実施例に係る集塵袋の外観斜視図である。
【図２】本発明の一実施例に係る集塵袋の正面図である。
【図３】図２のＡ−Ａ断面図である。
【図４】図２のＢ−Ｂ断面図である。
【図５】図３のＣ部拡大図である。
【図６】図４のＤ部拡大図である。
【図７】本発明の一実施例に係る集塵袋に備えられたシール部材の正面図である。
【図８】図７のシール部の正面図である。
【図９】図７の剥離紙の正面図である。
【図１０】塵埃が溜まって開口部をシール部材で塞いだ際における集塵袋の斜視図である。
【図１１】口板に破線を記載した電気掃除機用集塵袋の正面図である。
【図１２】シール部材の取り付け部と反対側の端部をとじ針で固定したシール部材の正面図である。
【図１３】シール部材の２箇所の突出部を設けた電気掃除機用集塵袋の正面図である。
【図１４】図１３において２箇所の突出部をつなげた電気掃除機用集塵袋の正面図である。
【図１５】図２においてでシール部材の取り付け部の反対側にも突出部を設けた電気掃除機用集塵袋の正面図である。
【図１６】シール部と剥離紙をローラーにて貼り合わせる際の、シール部材の側面図である。
【図１７】製作性の向上を考慮した際の、シール部材の正面図である。
【図１８】図１７のシール部の正面図である。
【図１９】図１７の剥離紙の正面図である。
【図２０】製作時の不良低減を考慮した際の、シール部材の正面図である。
【図２１】梱包時の集塵袋の側面図である。
【図２２】本発明の一実施例に係る掃除機本体の下本体ケース３から上本体ケース４と蓋８を分離した状態の斜視図である。
【図２３】本発明の一実施例に係る電気掃除機の外観斜視図である。
【図２４】本発明の一実施例に係る電気掃除機の中央縦断面図である。
【図２５】図２４のＥ部拡大図である。
【図２６】本発明の一実施例に係る蓋を開けて集塵袋を装着する際の電気掃除機の中央縦断面図である。
【図２７】本発明の一実施例に係る蓋を開けて集塵袋を廃棄する際の電気掃除機の中央縦断面図である。
【図２８】本発明の一実施例に係る電気掃除機の中央縦断面図である。
【符号の説明】
【００７６】
１  電気掃除機
２  掃除機本体
３  下本体ケース
４  上本体ケース
５  集塵部
６  ハンドル
７  除塵ユニット
８  蓋
９  電動送風機
１０  ホース接続口部
１１  走行車輪
１２  ホース
１２ａ  接続継手
１３  手元操作管
１４  伸縮継手管
１５  吸口
１６  スイッチ
１７  係合部
１８  保護フィルター
１９  電源コード
２０  集塵袋
２１  袋部材
２２  口板
２３  シール部材
２４  シール部
２５  剥離紙
２６  開口部
２７  係合穴
２８  クランプ
２９  フック
３０  流入口
３１  逆止弁
３２  排気フィルター
３３  補強部
３４，３９  リブ
３５，３７  回動軸
３６  ホルダー
３８  係止部
４０  案内車輪
４１  糊
４２，４３  切れ込み
４４  取り付け部
５１，５４，５５  突出部
５２  とじ針
５３  切り欠き
５６  破線
５７  閉塞部
５８  非粘着部
５９  ローラー
６０  貼り付け部
【図１】
2008295605.tif 000003
【図２】
2008295605.tif 000004
【図３】
2008295605.tif 000005
【図４】
2008295605.tif 000006
【図５】
2008295605.tif 000007
【図６】
2008295605.tif 000008
【図７】
2008295605.tif 000009
【図８】
2008295605.tif 000010
【図９】
2008295605.tif 000011
【図１０】
2008295605.tif 000012
【図１１】
2008295605.tif 000013
【図１２】
2008295605.tif 000014
【図１３】
2008295605.tif 000015
【図１４】
2008295605.tif 000016
【図１５】
2008295605.tif 000017
【図１６】
2008295605.tif 000018
【図１７】
2008295605.tif 000019
【図１８】
2008295605.tif 000020
【図１９】
2008295605.tif 000021
【図２０】
2008295605.tif 000022
【図２１】
2008295605.tif 000023
【図２２】
2008295605.tif 000024
【図２３】
2008295605.tif 000025
【図２４】
2008295605.tif 000026
【図２５】
2008295605.tif 000027
【図２６】
2008295605.tif 000028
【図２７】
2008295605.tif 000029
【図２８】
2008295605.tif 000030